(57)【要約】【課題】  従来の照明装置では、主照明光源と補助照明光源（常夜灯）との切換え時の両照明光源の光束または照度の連続性がなく、そのため使用者に切換えによる違和感による不快感を与えることを避けることができなかった。【解決手段】  本発明の照明装置成は、主照明光源２を有する第１の照明ユニットと、補助照明光源４を有する第２の照明ユニットとを備え、前記両光源間で照明用光源を切換える照明装置であって、第１の照明ユニット及び第２の照明ユニットは、共に調光制御信号により、それぞれの光源が連続的に調光する照明ユニットであり、また、調光制御信号が、所定の調光率の切換え調光信号に達したとき、略連続する光束を出力する、または略連続する照度が得られるように、主照明光源２と補助照明光源４間で照明用光源を切換えるものである。【選択図】図１９
2006019060.tif 000002
【特許請求の範囲】
【請求項１】
主照明光源を有する第１の照明ユニットと、補助照明光源を有する第２の照明ユニットとを備え、前記両光源間で照明用光源を切換える照明装置において、
前記第１の照明ユニット及び前記第２の照明ユニットは、共に調光制御信号により、それぞれの光源が連続的に調光する照明ユニットであり、
前記調光制御信号が、所定の調光率の切換え調光信号に達したとき、略連続する光束を出力するように、前記主照明光源と前記補助照明光源間で照明用光源を切換えることを特徴とする照明装置。
【請求項２】
主照明光源を有する第１の照明ユニットと、補助照明光源を有する第２の照明ユニットとを備え、前記両光源間で照明用光源を切換える照明装置において、
前記第１の照明ユニット及び前記第２の照明ユニットは、共に調光制御信号により、それぞれの光源が連続的に調光する照明ユニットであり、
前記調光制御信号が、所定の調光率の切換え調光信号に達したとき、略連続する照度が得られるように、前記主照明光源と前記補助照明光源間で照明用光源を切換えることを特徴とする照明装置。
【請求項３】
前記主照明光源を蛍光灯とし、前記補助照明光源をＬＥＤとすることを特徴とする請求項１又は請求項２に記載の照明装置。
【請求項４】
主照明光源を有する第１の照明ユニットと、補助照明光源を有する第２の照明ユニットとを備え、前記両光源間で照明用光源を切換える照明装置において、
前記補助照明光源をＬＥＤとし、該ＬＥＤを照明器具に取付け、点灯による発生する熱を前記照明器具へ伝え、放熱するようにしたことを特徴とする照明装置。
【請求項５】
前記第１の照明ユニットの主照明光源を調光可能とし、調光制御信号に応じて調光することを特徴とする請求項４に記載の照明装置。
【請求項６】
前記第２の照明ユニットは、電源としてバッテリを有し、停電・災害等の非常時に第１の照明ユニットの光源を消灯し、第２の照明ユニットのＬＥＤを前記バッテリで点灯することを特徴とする請求項１〜請求項５のいずれかの請求項に記載の照明装置。
【請求項７】
前記補助照明光源を、照明器具の前記主照明光源の設置部内で、複数の光源の間、又は前記主照明光源の設置部外で、照明器具の端部に設置することを特徴とする請求項１〜請求項６のいずれかの請求項に記載の照明装置。
【発明の詳細な説明】
【技術分野】
【０００１】
本発明は、主照明光源及び補助照明光源を有する照明装置に関し、特に両光源間で照明用光源を切換える照明装置に関するものである。
【背景技術】
【０００２】
従来の照明装置としては、主照明光源と補助照明光源である常夜灯を備え、主照明光源から常夜灯に切換えられた瞬間から、使用者の暗順応特性に対応して常夜灯の照明レベルを調光制御し、切換えによる不安感や不快感を使用者に与えることを防止するようにしたものがある（例えば、特許文献１参照）。
【０００３】
また、主照明光源と補助照明光源とを備え、主照明点灯モードで、調光レベルが略０％になると、主照明光源を消灯させ、補助照明光源を点灯させ主照明の動作モードの終了を知らせるものがある（例えば、特許文献２参照）。
【特許文献１】特開平４−２９６４９２号公報（第２頁、第３頁、図１）
【特許文献２】特開平５−１０９４８９号公報（第２頁、第３頁、図１）
【発明の開示】
【発明が解決しようとする課題】
【０００４】
特許文献１及び特許文献２の照明装置では、主照明光源と補助照明光源（常夜灯）との切換え時の両照明光源の光束または照度の連続性がなく、そのため使用者に切換えによる違和感による不快感を与えることを避けることができなかった。
また、従来ＬＥＤ使用には、点灯時の発熱を放熱するために、特別な放熱構造を設ける必要があるという課題があった。
【０００５】
本発明の照明装置は、上記のような課題を解決するためになされたもので、主照明光源と補助照明光源とを切換える時に、切換え時の両照明の光束または照度に連続性を持たせ、使用者に違和感による不快感を与えない照明装置を得ることを目的とする。
また、補助照明光源にＬＥＤを使用することにより省エネが図れる照明装置を得ることを目的とする。
また、補助照明光源の取り付けに、主照明光源用の照明器具を利用することにより容易に製作できる照明装置を得ることを目的とする。
さらに、補助照明光源にＬＥＤを使用してもＬＥＤ用に特別の放熱対策を必要としない照明装置を得ることを目的とする。
また、停電、災害時等の非常時に、バッテリにより点灯可能なＬＥＤを有する照明装置を得ることを目的とする。
【課題を解決するための手段】
【０００６】
前記目的を達成するための本発明の照明装置は、主照明光源を有する第１の照明ユニットと、補助照明光源を有する第２の照明ユニットとを備え、前記両光源間で照明用光源を切換える照明装置であって、第１の照明ユニット及び第２の照明ユニットは、共に調光制御信号により、それぞれの光源が連続的に調光する照明ユニットであり、また、調光制御信号が、所定の調光率の切換え調光信号に達したとき、略連続する光束を出力する、または略連続する照度が得られるように、主照明光源と補助照明光源間で照明用光源を切換えるものである。
【発明の効果】
【０００７】
本発明の照明装置は、調光制御信号により、それぞれの光源が連続的に調光する照明ユニットであり、調光制御信号が、所定の調光率に達したとき、略連続する光束を出力するように、または、略連続する照度が得られるように照明用光源を切換えるので、主照明光源から補助照明光源に、または逆に補助照明光源から主照明光源に照明用光源を切換えても使用者に違和感による不快感を与えることがないという効果がある。
【発明を実施するための最良の形態】
【０００８】
実施の形態１．
図１は、本発明の実施の形態１の照明装置を示す図であり、照明器具における主照明光源と補助照明光源の配置が異なる２種類の照明装置（（ａ）、（ｂ）で示す）を下方より見た図であり、図２は、同じく照明装置のシステム構成を示す図であり、図３は、同じく照明装置の主照明光源と補助照明光源（常夜灯）の使用例を示す図である。
本照明装置は、図１に示すように、補助照明光源（常夜灯）である複数のＬＥＤ４を配列したＬＥＤ光源部１及び主照明光源となる蛍光灯２を照明器具３に配置する。図１（ａ）では、２灯の直管蛍光灯２（例えば、４０Ｗ×２灯）の並列配置の長手方向の両端部に複数のＬＥＤ４からなるＬＥＤ光源部１を設けたもの（以下、この配置のものを基本形１とする）であり、また、図１（ｂ）は、２灯の直管蛍光灯２（例えば、４０Ｗ×２灯）の並列配置の間に長手方向に平行に、かつ、直管蛍光灯２の形状と同様の形状のＬＥＤ光源部１を形成したもの（以下、この配置のものを基本形２とする）である。
【０００９】
本照明装置のシステム構成は、図２に示すように、蛍光灯２からなる主照明光源とＬＥＤ４からなる補助照明光源、それぞれを点灯、消灯する点灯装置、照度センサ、調光スイッチ、調光コントローラ用リモコンである送信器、送信器からの指示を受ける調光コントローラである受信器（照度センサまたは人感センサ付）及びこれら照度センサ、調光スイッチ、受信器からの信号により点灯装置の点灯、消灯及び調光等の制御を行う制御部等を含むものである。なお、主照明光源とこれの点灯装置が第１照明ユニットであり、補助照明光源とこれの点灯装置が第２照明ユニットである。
【００１０】
図３により本照明装置の一般的な主照明光源による主照明及び補助照明光源による補助照明の状況の一例を説明する。
本例では、オフィス等の就業中である８時から２１時までは主照明光源である蛍光灯２を使用し、それ以外の時間帯は補助照明光源（常夜灯）を使用した例を示している。主照明光源使用中は、図２の照度センサにより昼光利用により蛍光灯２を調光し所定の明るさとし、消費電力を低減を図る。当然ながら、調光スイッチにより、照明用光源の切換えは自由である。
なお、図２の調光スイッチによる主照明光源及び補助照明光源の調光制御については、後述する。
【００１１】
次に、図１に示した照明装置の構造を詳細に説明する。
初めに、図４〜図１２により、前記基本形１の照明装置の構造を説明する。
図４は、図１（ａ）の照明装置の断面図であり、図５は、同じく、照明装置の斜視図であり、図６は、同じく、照明装置の照明器具の端部にＬＥＤ用反射板を取付けることを説明する要部斜視図である。
これらの図において、本照明装置の照明器具３は、反射板側の中央の長手方向に安定器６を収容するＶ形反射板９を設け、この両側に主照明光源である２本の直管蛍光灯２を配置する。この直管蛍光灯の取り付けは、照明器具３の長手方向の両端部に、蛍光灯ソケット用端板８を設置し（図６参照）、この蛍光灯ソケット用端板８に設けたソケット７に取り付けることにより行う。
また、照明器具３の長手方向の両端部で、蛍光灯ソケット用端板８の外側に、ＬＥＤ４を設置するＬＥＤ用反射板１２を設置する（図６参照）。
【００１２】
ＬＥＤ用反射板１２は、図６、図７（ａ）に示すように、照明器具３にリベット止めにより固定するか、または、図６、図７（ｂ）に示すように、ＬＥＤ反射板１２の端部に設けた突起部１２ａを照明器具３の受け穴３ａに挿入し、折り曲げ、即ち、かしめることにより固定する。なお、ＬＥＤ用反射板１２は、断面が先端部を欠いた略Ｖ字状で、長手方向を照明器具の長手方向と直交させて照明器具の端部に蛍光灯ソケット用端板と同様にはめ込む。なお、蛍光灯ソケット用端板８とＬＥＤ反射板１２を一体に形成してもよい。
【００１３】
次に、このようにして取り付けたＬＥＤ用反射板１２へ補助照明光源であるＬＥＤ４の設置に関して説明する。
図８は、ＬＥＤ用反射板へカバーの設置を示す説明図であり、図９は、ＬＥＤ用反射板へ集光レンズ付ＬＥＤを設置することを示す説明図であり、図１０は、ＬＥＤ用反射板へＬＥＤを設置することを示す説明図であり、図１１は、ＬＥＤ用反射板へ設置する集光レンズ付ＬＥＤを示す斜視図であり、図１２は、ＬＥＤ用反射板へ設置するＬＥＤを示す斜視図である。
これらの図において、ＬＥＤ反射板１２へ設置するＬＥＤ４は、図１１、図１２に示すように、ＬＥＤ４単体または集光レンズ付ＬＥＤ２４である。そして、いずれも基板２３に固定するが、３個のＬＥＤ４または３個の集光レンズ付のＬＥＤ２４を１個ずつ基板に取り付けても、３個まとめて取り付けてもよく、これらＬＥＤ４または集光レンズ付のＬＥＤ２４を設置した基板を、ＬＥＤ用反射板１２の底面にはめ込み固定することにより、ＬＥＤ４または集光レンズ付のＬＥＤ２４をＬＥＤ反射板１２に設置する。なお、図９、図１０に示すようにＬＥＤ用反射板１２にはＬＥＤ４の配線を逃がす配線逃げ穴２１を設ける。
このように、ＬＥＤ４または集光レンズ付のＬＥＤ２４を設置したＬＥＤ用反射板１２へは、図８に示すように、アクリル、乳白、プリズムまたはマット（透明）状のカバー１３を設置し、覆う。カバー１３の固定は、カバー１３の突部１３ａを対応するＬＥＤ用反射板１２の受け穴１２ｂにはめ込む、または、ねじ固定とする。
【００１４】
基本形１の照明装置の構造は、上記の通りであるので、照明器具３は、基本的な構造は２灯用直管蛍光灯の照明器具３と同様でよく、若干長手方向にＬＥＤ反射板１２の分程度長くする程度でよい。
【００１５】
本照明装置は、従来機種の照明装置である２灯用直管蛍光灯の照明器具３の長手方向の両端部に補助照明光源であるＬＥＤ光源部１を設け、主照明光源である２灯用直管蛍光灯と組合せたので、従来機種の２灯用直管蛍光灯の照明器具３が若干の変更により利用できるので、製作が容易となる。
また、補助照明光源であるＬＥＤ４を、主照明光源である２灯用直管蛍光灯と共通の照明器具３に取り付けたので、ＬＥＤ４は、結果的に面積の大きな照明器具３に熱的接続ができ、点灯により発生する熱をこの照明器具３へ伝え、放熱することが可能となり、ＬＥＤ４用の特別の放熱対策（例えば、ＬＥＤ４専用の放熱フィンの設置、ＬＥＤ４を面積の大きな板金に取り付ける等の対策）を講じなくてもよいという効果がある。
【００１６】
ここで、本照明装置の照明器具３利用によるＬＥＤ３の放熱効果を、ＬＥＤと同程度の大きさの放熱板と比較することにより説明する。
図１３は、放熱板にＬＥＤ４を取り付けた場合のＬＥＤ点灯による発熱の放熱板による放熱を説明する放熱等価回路を示す。なお、Ｒ１；ＬＥＤ４と放熱板間熱抵抗、Ｒ２；放熱板熱抵抗、Ｒ３；放熱板と外気間熱抵抗、鋼板製の放熱板の熱伝導率；６０[Ｗ／ｍ・Ｋ]、空気の熱伝達率；７．５[Ｗ／ｍ2・Ｋ]とする。
【００１７】
（１）放熱板；２５０[ｍｍ]×１５０[ｍｍ]×厚０．６[ｍｍ]の場合（直管蛍光灯照明器具３にＬＥＤ４を取り付けた場合に相当する）
この場合の、各熱抵抗は、次となる。
Ｒ１＝０．７[Ｋ／Ｗ]
Ｒ２＝（０．０７５[ｍ]／２）／（６０[Ｗ／ｍ・ｋ]×０．２５[ｍ]×０．０００６[ｍ]）  ＝４．１７[Ｋ／Ｗ]
Ｒ３＝１／（７．５[Ｗ／ｍ2・Ｋ]×０．２５[ｍ]×０．１５[ｍ]×２）
＝１．７８[Ｋ／Ｗ]
上式のＲ２算出で０．０７５[ｍ]／２と、２で割るのは、放熱板の中央にＬＥＤを取り付けることによる。また、Ｒ３の算出で７．５[Ｗ／ｍ2・Ｋ]×０．２５[ｍ]×０．１５[ｍ]×２と、２倍するのは、放熱板の両面から放熱することによる。
ＬＥＤ４の電力のうち、９割は熱、１割が光になるとみなすと、３灯のＬＥＤ４（１ＷタイプのＬＥＤ使用、３５０ｍＡで点灯）を点灯させた場合の熱に変換される電力は、
３．２[Ｖ]×０．３５[Ａ]×０．９×３[灯]＝３[Ｗ]
であり、
また、Ｒ１、Ｒ２、Ｒ３の合成熱抵抗は、以下のようになる。
Ｒ１＋Ｒ２＋Ｒ３＝０．７＋４．１７＋１．７８＝６．６５[Ｋ／Ｗ]
よって、ＬＥＤジャンクション温度上昇値であるΔＴjは、次のようになる。
ΔＴj＝６．６５[Ｋ／Ｗ]×３[Ｗ]＝１９．９５[Ｋ]
ここで、室温２５[℃]、ＲθJ-B（ＬＥＤジャンクションとボード間熱抵抗）１７[Ｋ／Ｗ]とすると、ＬＥＤジャンクション温度であるＴjは、以下のようになる。
Ｔj＝２５＋１７＋１９．９５＝６１．９５
従って、室温[２５℃]の場合のＬＥＤジャンクション温度は、６１．９５[℃]となる。
【００１８】
（２）放熱板；６０[ｍｍ]×７０[ｍｍ]×厚０．８[ｍｍ]の場合（ＬＥＤと同程度の大きさの放熱板に取り付けたことを想定、即ち、専用の放熱対策なしに相当する）
この場合の、各熱抵抗は、次となる。
Ｒ１＝０．７[Ｋ／Ｗ]
Ｒ２＝（０．０３５[ｍ]／２）／（６０[Ｗ／ｍ・ｋ]×０．０６[ｍ]×０．０００８[ｍ]）  ＝６．０８[Ｋ／Ｗ]
Ｒ３＝１／（７．５[Ｗ／ｍ2・Ｋ]×０．０６[ｍ]×０．０７[ｍ]×２）
＝１５．８７[Ｋ／Ｗ]
上式のＲ２算出で０．０３５[ｍ]／２と、２で割るのは、放熱板の中央にＬＥＤを取り付けることによる。また、Ｒ３の算出で７．５[Ｗ／ｍ2・Ｋ]×０．０６[ｍ]×０．０７[ｍ]×２と、２倍するのは、放熱板の両面から放熱することによる。
また、Ｒ１、Ｒ２、Ｒ３の合成熱抵抗は、以下のようになる。
Ｒ１＋Ｒ２＋Ｒ３＝０．７＋６．０８＋１５．８７＝２２．６５[Ｋ／Ｗ]
よって、ΔＴjは、次のようになる。
ΔＴj＝２２．６５[Ｋ／Ｗ]×３[Ｗ]＝６７．９５[Ｋ]
ここで、室温２５[℃]、ＲθJ-B（ＬＥＤジャンクションとボード間熱抵抗）１７[Ｋ／Ｗ]とすると、Ｔjは、以下のようになる。
Ｔj＝２５＋１７＋６７．９５＝１０９．９５
従って、室温[２５℃]の場合のＬＥＤジャンクション温度は、１０９．９５[℃]となる。
【００１９】
上記のように、相当品による相対比較ではあるが、ケース（１）の直管蛍光灯の照明器具にＬＥＤ４を取り付けに相当する場合とケース（２）のＬＥＤ４の専用の放熱対策を講じないことに相当する場合とで、Ｔjの比較を行うと、４８[℃]の温度差があり、また、ＬＥＤ４の専用の放熱対策を講じないことに相当する場合には、Ｔjは、１０９．９５[℃]まで上昇することより、ＬＥＤ４には放熱対策が必要であること、また、直管蛍光灯の照明器具は、ＬＥＤ４を取り付けることによりＬＥＤ４の放熱板として有効に機能することがわかる。
【００２０】
次に、図１１、図１２及び図１４〜図１７により、前記基本形２の照明装置の構造を説明する。
図１４は、図１（ｂ）の照明装置の断面図であり、図１５は、同じく、照明装置の照明器具へＬＥＤユニットを取り付けることを説明する説明図であり、図１６は、同じく、照明装置の照明器具へ取付ける導光板タイプのＬＥＤユニットを示す斜視図であり、図１７は、同じく、照明装置の照明器具へ取付ける蛍光灯タイプのＬＥＤユニットを示す斜視図である。
これらの図において、本照明装置の照明器具３は、前記の基本形１と同様２灯用直管蛍光灯を主照明光源とするものであるが、図１４に示すように、安定器６は反射板側と反対側（図１４の上部）に設置する。そこで、直管蛍光灯２は、照明器具３の長手方向に平行に並列配置するが、この両蛍光灯間に、長手方向にスペースが形成されている。本照明装置の補助光源を形成するＬＥＤ光源部１をこのスペースに形成する。
【００２１】
ＬＥＤ光源部１は、図１５（ａ）に示すように、ＬＥＤ４を内蔵し、直管蛍光灯２と形状が類似の長形のＬＥＤユニット２５である。このＬＥＤユニット２５は、照明器具３の両蛍光灯２の間で、長手方向に沿って、照明器具３に取り付けられた底板２６ａ及びこの底板２６ａの両端の柱状のカバー止め２６ｂで形成されるフレーム２６と、このフレーム２６の底板２６ａに設置するＬＥＤ４（図１１、図１２に示すＬＥＤ４または集光レンズ付ＬＥＤ２４）と、ＬＥＤ４設置後にフレーム２６の両端の柱状のカバー止め２６ｂ間で底板２６ａにはめ込み固定され、ＬＥＤ４を覆うカバー２７とから構成される。
フレーム２６の照明器具３への固定は、図１５（ａ）に示すように、バーリング加工した照明器具３の板金にねじ１９によりねじ止めする。その他、かしめ止め、鉄板ビス止めでもよい。カバー２７は、断面コの字状で、乳白アクリルまたはマット状アクリルで形成される。このようにして組立てられた基本タイプのＬＥＤユニット２５ａを図１５（ｂ）に示す。このようにして、両側の直管蛍光灯２とほぼ同長のＬＥＤ光源部１を形成する。
【００２２】
ＬＥＤユニット２５は、図１５（ｂ）に示す基本タイプ２５ａの他に図１６に示す導光体タイプ２５ｂ、図１７に示す蛍光灯タイプ２５ｃとしてもよい。
導光体タイプ２５ｂは、長手方向と直交する断面が矩形状の角柱を導光体で形成し、この両端部に複数のＬＥＤ４（ＬＥＤ４または集光レンズ付ＬＥＤ２４）を取り付けたものを直管蛍光灯２と同長となるように複数本長手方向に接続し、全体をＬＥＤ光源部１としたものである。
蛍光灯タイプ２５ｃは、断面が直管蛍光灯２の断面と同じ円形の円柱形状の導光体を使用し、その両端に、一方の面に複数のＬＥＤ４（ＬＥＤ４または集光レンズ付ＬＥＤ２４）を取り付け、他の面に電気的接続用のソケットピン３０を突出した基板をソケットピン３０を外側にして取り付ける。蛍光灯タイプ２５ｃのＬＥＤユニット２５の照明器具３への取り付けは、直管蛍光灯２の場合と同じとする。即ち、図６に示す蛍光灯ソケット用端板８に直管蛍光灯２の蛍光灯ソケット７を３個設置し、真中の１個にソケットピン３０を挿入することにより行う。
【００２３】
本照明装置は、従来機種の照明装置である２灯用直管蛍光灯の照明器具３の２本の直管蛍光灯間にＬＥＤ光源部１を平行に、ほぼ同長に設置するので、従来機種の２灯用直管蛍光灯の照明器具３がほとんどそのまま利用でき、製作が容易となる。
また、補助照明光源であるＬＥＤ４を、主照明光源である２灯用直管蛍光灯と共通の照明器具３に取り付けたので、ＬＥＤ４は、特別の放熱対策を講じなくてもよいという効果があるのも基本形１と同じである。
【００２４】
上記照明装置の基本形１、基本形２の構造として、主照明光源が２灯用直管蛍光灯２であり、補助照明光源を形成するＬＥＤ光源部１を照明器具３の２灯用直管蛍光灯２の両端部、または、照明器具の２灯用直管蛍光灯２の間に設けた例を説明したが、主照明光源となる蛍光灯２の形状は、直管に限らず、また、灯数も２灯に限る必要はなく、形状をコンパクトランプ（片口金タイプ）、円形、四角形等とし、また、灯数も種々変化させ、これらの形状及び灯数に対応した照明器具３の蛍光灯２の設置部外で、照明器具３の端部、または、主蛍光灯２の設置部内で、複数の蛍光灯２の間に補助照明光源であるＬＥＤ光源部１を設置しても、上記照明装置の基本形１、基本形２の構造の場合と同様に主照明光源である蛍光灯２の照明器具３が若干の変更で利用でき、または、ほとんどそのまま利用でき製作が容易となる。また、補助光源のＬＥＤ４についても３灯（６灯）に限る必要はない。
また、この場合に、ＬＥＤ光源部１のＬＥＤ４は、特別の放熱対策を講じなくてもよいという効果があるのも同様である。
【００２５】
次に、主照明光源である２灯用直管蛍光灯２と補助光源であるＬＥＤ４のＬＥＤ光源部１とを有する基本形１または基本形２の照明装置について、調光部による調光制御信号により主照明光源と補助照明光源の調光について、また、切換え調光信号により両光源間の照明用光源の切換えについて説明する。なお、先に記載した２灯以上の灯数及び直管以外の形状の蛍光灯２からなる主照明光源を有する照明装置に関しても以下に記載の基本形１または基本形２の照明装置の調光また照明用光源の切換えは同様に行われる。
【００２６】
調光部による調光制御信号が調光率１００％から照明光源の切換え調光信号である所定の調光率、例えば、５％までは、主照明光源である蛍光灯２の光束をその調光率に連続的に調光する。そして、この所定の切換え調光率で蛍光灯２からＬＥＤ４に照明光源を切換える。また、切換え調光率から調光率０％までは、補助照明光源であるＬＥＤ４の光束をその調光率に連続的に調光する。図１８に、切換え調光率５％とした場合の照明光源の切換えフローを示す。
主照明光源及び補助照明光源のそれぞれの調光並びに両光源間の照明光源の切換えの動作パターンは、パターンＡ〜パターンＥまで５種類の動作パターンがあり、本照明装置は、５種類の動作パターンのいずれか１種類を有してもよく、または、２種類以上を有し、スイッチ等により実行動作パターンを選択するようにしてもよい。
【００２７】
図１９は、照明装置の照明光源の調光、切換えのパターンＡを示す図（横軸が調光率、縦軸が光束を示し、以下の図２３まで同じである）であり、主照明光源である蛍光灯２から補助照明光源であるＬＥＤ４に照明光源が切り換るとき、ＬＥＤ４がフェードインするタイプである。
調光率１００％から照明光源の切換え調光信号である所定の調光率、例えば、５％までは、主照明光源である蛍光灯２の光束をその調光率で調光し、この所定の調光率未満から調光率０％までは、補助照明光源であるＬＥＤ４の光束をその調光率で調光するが、蛍光灯２からＬＥＤ４に切換えるとき、所定の閾値、例えば、調光率１０％からＬＥＤ４を点灯し、切換え調光率５％に達した時、両光源を略同じ光束で蛍光灯２を消灯しＬＥＤ４に切換える。即ち、略連続する光束で切換える。
【００２８】
このように、切換え時に略同じ光束で切換えることにより、使用者に切換え時の光束の変化により違和感による不快感を与えることを避けることができる。特に、ＬＥＤ４をあらかじめフェードインさせることにより違和感を与えない効果は一層顕著となる。
逆にＬＥＤ４点灯時から光束を上げていく場合も、切換え調光率で略連続する光束で切換える。同様に使用者に切換え時の光束の変化により違和感による不快感を与えることを避けることができる。
【００２９】
図２０は、照明装置の照明光源の調光、切換えのパターンＢを示す図である。
このパターンでは、ＬＥＤ４は常時点灯させる。蛍光灯２からＬＥＤ４への切換えは、所定の切換え調光率で、蛍光灯２を消灯することにより行う。この切換え時の両光源の光束は略同じ光束とし、使用者に切換えの違和感を与えることを避けることができる。
ＬＥＤ４から蛍光灯２へ調光、照明光源の切換えも同様である。
【００３０】
図２１は、照明装置の照明光源の調光、切換えのパターンＣを示す図である。
このパターンでは、蛍光灯２（又はＬＥＤ４）が消灯すると同時に、略同光束のＬＥＤ４（又は蛍光灯２）が点灯するものである。切換え時に略同じ光束で切換えることにより、使用者に切換え時の光束の変化により違和感による不快感を与えることを避けることができる。
【００３１】
図２２は、照明装置の照明光源の調光、切換えのパターンＤを示す図である。
このパターンでは、調光率１００％から０％まで主照明光源である蛍光灯２のみで調光している場合と同様の光束で連続的に調光させる。即ち、蛍光灯２からＬＥＤ４に照明光源を切換えるとき、所定の閾値の調光率からＬＥＤ４を点灯させ徐々に光束を増し、同時に蛍光灯２の光束をＬＥＤ４の光束分低下させ、両光束の合成光束が蛍光灯２のみで調光している場合と同様の光束で調光させ、所定の切換え調光率で、蛍光灯２を消灯し、切換え時の合成光束とＬＥＤ４の光束を略同一光束とする。即ち、略連続する切換え光束とする。このように、切換え時に略同じ光束で切換えることにより、使用者に切換え時の光束の変化により違和感による不快感を与えることを避けることができる。
ＬＥＤ４点灯から蛍光灯２に切換える場合も同様に、調光率０％から切換え調光率まではＬＥＤ４を連続的に調光し、切換え時は連続する合成光束を経て蛍光灯２を単独点灯とし、違和感を与えないようにする。
【００３２】
図２３は、照明装置の照明光源の調光、切換えのパターンＥを示す図である。
このパターンでは、蛍光灯２からＬＥＤ４に切換えるとき、所定の閾値である調光率、例えば、調光率１０％でＬＥＤ４を点灯させ、蛍光灯２の光束低下とともにその光束を低下させ、所定の切換え調光率で、蛍光灯２を消灯し、略同一光束に達したＬＥＤ４に切換える。逆に、ＬＥＤ４から蛍光灯２に切換える場合も同様である。本ケースの場合も、使用者に同様に切換えによる違和感を与えることを避けることができる。
【００３３】
上記の照明装置の照明光源の調光、切換えのパターンＡ〜Ｅにおいては、切換え時の光源光束を略同一、即ち、略連続する光束を出力するように切換えたが、光束でなく照度を略同一、即ち、パターンＡ〜Ｅの図において、縦軸を照度とし、略連続する照度が得られるように照明光源を切換えるようにしても同様に使用者に切換えによる違和感を与えずにすむことができる。この場合、ＬＥＤ４の照度は、例えば、光源直下の照度とする。
【００３４】
本照明装置では、補助照明光源として、ＬＥＤ４を使用することにより、常夜灯、非常灯として使用する場合に、省エネを図ることができる。
また、本照明装置の補助照明光源の電源としてバッテリを設け、停電・災害等の非常時に主照明光源を消灯し、補助照明光源をバッテリで点灯させることにより、非常時に有効な照明が確保できる。
また、本照明装置は、主照明光源のみ調光可能とし、補助光源は所定の光束、または所定の照度としてもよく、このようにしても上記同様の効果が得られる。
また、主照明光源は、蛍光灯２以外に白熱電球、ハロゲン電球等としてもよい。
また、主照明光源と補助照明光源間で、照明用光源を切換えるとき、主照明光源から補助照明光源の場合、補助照明光源から主照明光源の場合で、切換え調光率を変えてもよい。例えば、それぞれ、５％、１０％とする。このように、補助照明光源から主照明光源へ切り換える場合の切換え調光率を大きくして、照度センサを使用し昼光利用する場合、主照明光源と補助照明光源が頻繁に切り換わることを防止する。即ち、照度センサを使用し、昼光利用により調光を行う場合、周囲の明るさの微妙な変化によって調光率５％付近を前後する場合がある。５％で主照明光源と補助照明光源を切り換える場合は、周囲の明るさの微妙な変化によって、主照明光源と補助照明光源が頻繁に切り換ることになる。そこで、主照明光源から補助照明光源に切り換える場合の切換え調光率は５％とし、補助照明光源から主照明光源に切り換える場合の切換え調光率を１０％にすることにより、主照明光源と補助照明光源が頻繁に切り換ることを防止する。
【図面の簡単な説明】
【００３５】
【図１】本発明の実施の形態１の照明装置を示す図である。
【図２】本発明の実施の形態１の照明装置のシステム構成を示す図である。
【図３】本発明の実施の形態１の照明装置の主照明光源と補助照明光源の使用例を示す図である。
【図４】図１の一方の照明装置の断面図である。
【図５】図１の一方の照明装置の斜視図である。
【図６】図１の一方の照明装置の照明器具の端部にＬＥＤ用反射板を取付けることを説明する要部斜視図である。
【図７】図１の一方の照明装置の照明器具のＬＥＤ用反射板の取付けを説明する図である。
【図８】図１の一方の照明装置の照明器具のＬＥＤ用反射板にカバーの取付けを説明する図である。
【図９】図１の一方の照明装置の照明器具のＬＥＤ用反射板に集光レンズ付ＬＥＤの設置を説明する図である。
【図１０】図１の一方の照明装置の照明器具のＬＥＤ用反射板にＬＥＤの設置を説明する図である。
【図１１】図１の一方の照明装置の照明器具のＬＥＤ用反射板に設置する集光レンズ付ＬＥＤを示す斜視図である。
【図１２】図１の一方の照明装置の照明器具のＬＥＤ用反射板に設置するＬＥＤを示す斜視図である。
【図１３】放熱板にＬＥＤを取り付けた場合のＬＥＤ点灯発熱の放熱板による放熱を説明する放熱等価回路を示す図である。
【図１４】図１のもう一方の照明装置の断面図である。
【図１５】図１のもう一方の照明装置の照明器具へＬＥＤユニットを取り付けることを説明する説明図である。
【図１６】図１のもう一方の照明装置の照明器具に設置する導光板タイプのＬＥＤユニットを示す斜視図である。
【図１７】図１のもう一方の照明装置の照明器具に設置する蛍光灯タイプのＬＥＤユニットを示す斜視図である。
【図１８】本発明の実施の形態１の照明装置の切換え調光率５％とした場合の照明光源の切換えフローを示す図である。
【図１９】本発明の実施の形態１の照明装置の照明光源の調光、切換えのパターンＡを示す図である。
【図２０】本発明の実施の形態１の照明装置の照明光源の調光、切換えのパターンＢを示す図である。
【図２１】本発明の実施の形態１の照明装置の照明光源の調光、切換えのパターンＣを示す図である。
【図２２】本発明の実施の形態１の照明装置の照明光源の調光、切換えのパターンＤを示す図である。
【図２３】本発明の実施の形態１の照明装置の照明光源の調光、切換えのパターンＥを示す図である。
【符号の説明】
【００３６】
２  主照明光源（蛍光灯）、３  照明器具、４  補助照明光源（ＬＥＤ）。
【図１】
2006019060.tif 000003
【図２】
2006019060.tif 000004
【図３】
2006019060.tif 000005
【図４】
2006019060.tif 000006
【図５】
2006019060.tif 000007
【図６】
2006019060.tif 000008
【図７】
2006019060.tif 000009
【図８】
2006019060.tif 000010
【図９】
2006019060.tif 000011
【図１０】
2006019060.tif 000012
【図１１】
2006019060.tif 000013
【図１２】
2006019060.tif 000014
【図１３】
2006019060.tif 000015
【図１４】
2006019060.tif 000016
【図１５】
2006019060.tif 000017
【図１６】
2006019060.tif 000018
【図１７】
2006019060.tif 000019
【図１８】
2006019060.tif 000020
【図１９】
2006019060.tif 000021
【図２０】
2006019060.tif 000022
【図２１】
2006019060.tif 000023
【図２２】
2006019060.tif 000024
【図２３】
2006019060.tif 000025